(57)【要約】 【課題】 部品の標準化ができ，溶接加工が不要で，ケーブルの導入が簡単な配電盤を提供する。【解決手段】切り曲げされて形成された庇１５と開口部１６を有する平板状の上板１３，及び断面がＬ字状なるように曲げられた下板１４を枠に取り付け，上板１３には開口部１６の左右に断面がＬ字状なるように曲げられたスライド板１７を左右方向にスライド可能なように取り付け，上板１３の庇１５と，左右のスライド板１７の対向するカラー面１７ｂと，下板１４のカラー面１４ｂとによって構成されるカラーを形成する。このカラーよって囲まれた方形の開口部を通してケーブルを導入し，ケーブルの数量や断面積の大きさに応じて，ケーブル導入口が小さくなったり大きくなったりするようにスライド板１７を左右方向にスライドさせねじ１８で固定する。【選択図】 図１
2005204465.tif 000002
【特許請求の範囲】
【請求項１】
六面体を形成する枠組に取り付けられた上板と下板とによってケーブルの導入口が形成される配電盤のケーブル導入装置において，
下縁にコ字状に形成された切欠きを有する前記上板と，
前記切欠きの上縁に沿って前記上板に設けられた庇と，
互いに直交する取付面とカラー面とを有する部材であって前記カラー面が前記庇の下に直交するように前記上板に取り付けられる左右一対のカラー板であって左右方向に変位して取り付け可能な前記カラー板と，
垂直方向の取付面と水平方向のカラー面とを有する前記下板と，
を有し，
前記上板と前記下板は，協働して該下板のカラー面と前記庇と前記左右のカラー板のカラー面とによって周囲にカラーが構成されるケーブル導入口が形成されるように前記枠組みに取り付けられたことを特徴とする配電盤のケーブル導入装置。
【発明の詳細な説明】
【技術分野】
【０００１】
本発明は，配電盤，特にそのケーブル導入部の構造に関する。
【背景技術】
【０００２】
配電盤に導入されるケーブルの導入部に関する技術の例が特許文献１に示されている。図３を参照して，この配電盤にはその裏面上部を覆う薄板鋼板からなる上板２と下板３とからなるケーブル導入用裏面覆板１が設けられている。上板２は断面がコ字状なるように上下の縁が折り曲げられた折曲縁２ａ，２ｂを有している。一方，下板３も上下の縁が折り曲げられた折曲縁３ａ，３ｂを有している。この下板３の上側の縁の中央部にはコ字状の切欠き部４が設けられており，上側の折曲縁３ａは切欠き部４の３辺に沿って溶接されたカラー５を含めて連続的に形成されている。
【０００３】
そして，下板３と上板2は，下板３の上側の折曲縁３ａと上板２の下側の折曲縁２ｂが密着するように，固定枠組７に取り付けられている。このように取り付けられると，上板２の下側の折曲縁２ｂと下板３のカラー５とによって全周にカラーが形成された方形の開口部が形成され，この開口部がケーブル導入口６となる。防塵防滴の機能を持たせる必要がある場合はケーブル導入後，ケーブル間の隙間及びケーブルとカラーの全周との隙間がパテによって埋められていた。
【特許文献１】実公昭５４−３１８５０号公報
【発明の開示】
【発明が解決しようとする課題】
【０００４】
ケーブル導入口の大きさは，ケーブルの導入作業の容易性や固定の安定性とともに，ケーブル間の隙間やケーブルとカラー間の隙間へのパテの注入作業性も考慮してできるだけ小さいほうが望ましい。しかし，上述した従来の配電盤のケーブル導入口６は，下板３の切欠き部４の加工寸法に依存するため注文毎に異なる下板３を製造する必要があった。
したがって，本願発明の目的は，部品の標準化ができ，ケーブルの導入が簡単な配電盤のケーブル導入装置を提供することを目的とする。
【課題を解決するための手段】
【０００５】
上記の問題を解決するために，請求項１の発明は，六面体を形成する枠組に取り付けられた上板と下板とによってケーブルの導入口が形成される配電盤のケーブル導入装置において，下縁にコ字状に形成された切欠きを有する上板と，切欠きの上縁に沿って上板に設けられた庇と，互いに直交する取付面とカラー面とを有する部材であってカラー面が庇の下に直交するように上板に取り付けられる左右一対のカラー板であって左右方向に変位して取り付け可能なカラー板と，垂直方向の取付面と水平方向のカラー面とを有する下板と，を有し，上板と下板は，協働して下板のカラー面と庇と左右のカラー板のカラー面とによって周囲にカラーが構成されるケーブル導入口が形成されるように枠組みに取り付けられたこととしている。
【発明の効果】
【０００６】
上述のような構成により，請求項１の発明は，庇と左右のカラー板のカラー面と下板のカラー面とによって連続的なカラーを有するケーブル導入口を形成できる上，カラー板の取付位置を調整することによってケーブル導入口の寸法を変えることができるため，部品の標準化が可能となるとともに，ケーブルの導入作業が簡単になるという効果を奏する。
【発明を実施するための最良の形態】
【０００７】
本発明の実施の形態を，図１及び図２に示されている実施例において説明する。図１はこの実施例の配電盤の裏面上部を示す図であって，配電盤の左右の枠部材１１，１２に渡して取り付けられた，いずれも薄板鋼板製の平板状の上板１３及び断面がＬ字状なるように曲げられた下板１４を有する。上板１３は，その下縁に切り曲げされて形成された庇１５と切曲げによって形成された開口部１６を左右に有する。一方，下板１４は，その折曲縁と上板１３の下縁が密着するように配置され垂直方向の取付面１４ａにおいて枠組に取り付けられている。
【０００８】
さらに，上板１３には切曲げ開口部１６の左右に断面がＬ字状なるように曲げられた薄板鋼板製のスライド板１７が取り付けられている。スライド板１７は請求項１のカラー板に相当し，スライド板１７の一方の面は取付面１７ａであり，他方の面はカラー面１７ｂである。このスライド板１７は，その取付面１７ａに形成された長孔１７ｃに取付ねじ１８を挿通させて上板１３に形成されたねじ孔を利用して固定される。すなわち，取付ねじ１８を緩めればスライド板１７は左右方向にスライド自在であって，そのカラー面１７ｂは上板１３の庇１５及び下板１４の水平方向のカラー面１４ｂとの間において位置を変えることができる。
【０００９】
このように構成されている配電盤には，上板１３の庇１５と，左右のスライド板１７の対向するカラー面１７ｂと，下板１４のカラー面１４ｂとによって隅部だけにわずかの隙間を有するカラーが形成され，このカラーよって囲まれた方形の開口部を通してケーブルが導入される。図１を参照して，導入されるケーブルの数量や断面積の大きさに応じて，左側に示されているようにスライド板１７を近づけて導入口を小さくしたり，右側に示されているようにスライド板１７を離して導入口を大きくしてねじ１８で両スライド板１７を固定する。図２を参照して，固定後，ケーブル１９間及びケーブル１９とカラーとの隙間にパテ２０を注入する。さらに，下板１４のカラー面１４ｂに形成されている多数の孔１４ｃを利用して固定バンド２１などを利用してケーブルを固定する。
庇１５は切り曲げ加工によって形成されているが，別部材として上板１３に取り付けてもよい。
【図面の簡単な説明】
【００１０】
【図１】本発明による配電盤の実施例を示す裏面上方から見た部分斜視図である。
【図２】図１の配電盤のケーブルの導入状態を説明する裏面から見た図である。
【図３】従来の配電盤の部分斜視図である。
【符号の説明】
【００１１】
１１，１２  枠部材
１３  上板
１４  下板
１４ａ  取付面
１４ｂ  カラー面
１４ｃ  孔
１５  庇
１６  開口部
１７  スライド板
１７ａ  取付面
１７ｂ  カラー面
１７ｃ  長孔
１８  取付ねじ
１９  ケーブル
２０  パテ
２１  固定バンド
【図１】
2005204465.tif 000003
【図２】
2005204465.tif 000004
【図３】
2005204465.tif 000005